(57)【要約】【課題】空き容量を確保するための方法を提示すること【解決手段】番組を記憶する記憶媒体と、前記記憶媒体の空き容量と録画予約に係る番組を録画するのに必要な容量とに基づいて不足容量を算出する算出部と、前記算出部が算出した不足容量に基づいて前記記憶媒体に記憶されている未視聴の録画番組から１又は複数の未視聴の録画番組を抽出して提示する提示部と、を備える【選択図】図１
2015019200.tif 000002
【特許請求の範囲】
【請求項１】
番組を記憶する記憶媒体と、
前記記憶媒体の空き容量と録画予約に係る番組を録画するのに必要な容量とに基づいて不足容量を算出する算出部と、
前記算出部が算出した不足容量に基づいて前記記憶媒体に記憶されている未視聴の録画番組から１又は複数の未視聴の録画番組を抽出して提示する提示部と、
を備える記録再生装置。
【請求項２】
前記提示部は未視聴の録画番組をソートし、ソート順に未視聴の録画番組の占有容量を加算して、前記算出部が算出した不足容量に対応する１又は複数の未視聴の録画番組を抽出して提示する請求項１に記載の記録再生装置
【請求項３】
前記提示部は単位時間あたりの占有容量又は総占有容量が大きい順に未視聴の録画番組をソートする請求項２に記載の記録再生装置。
【請求項４】
前記提示部は単位時間あたりの占有容量又は総占有容量が大きい順に未視聴の録画番組をソートした結果、同一タイトルの未視聴の録画番組が複数あるときに録画日時に基づいて同一タイトルの未視聴の録画番組を提示する請求項２又は請求項３に記載の記録再生装置。
【請求項５】
前記提示部はユーザから指定された視聴時間で視聴可能な未視聴の録画番組から提示する未視聴の録画番組を抽出する請求項１〜請求項４のいずれか１項に記載の記録再生装置。
【請求項６】
前記提示部は提示が禁止されている未視聴の録画番組以外から提示する未視聴の録画番組を抽出する請求項１〜請求項５のいずれか１項に記載の記録再生装置。
【請求項７】
視聴済み録画番組を消去する消去部を備える請求項１〜請求項６のいずれか１項に記載の記録再生装置。
【請求項８】
前記消去部は再生中の録画番組の視聴済み部分を消去する請求項７に記載の記録再生装置。
【発明の詳細な説明】
【技術分野】
【０００１】
本発明は、コンテンツを記録及び再生可能な記録再生装置に関する。
【背景技術】
【０００２】
従来より、テレビ放送される番組を録画し、録画した番組を再生可能な録画再生装置（記録再生装置の一種）が普及している。特に近年は記憶媒体を内蔵するＨＤＤレコーダなどが普及しており、番組を録画して後から視聴するユーザが多くなっている。内蔵されるＨＤＤ等の記憶媒体は比較的大容量のものが使用されるが、録画した番組数の数が多くなるにつれて空き容量が減り、容量不足により録画ができなくなることがある。
【０００３】
そこで特許文献１に示すコンテンツ蓄積再生装置は削除対象コンテンツ（例えば視聴済み録画予約コンテンツ）の削除を提案し、ユーザが同意した場合にこれらコンテンツを削除することで空き容量を増やすことが開示されている。
【先行技術文献】
【特許文献】
【０００４】
【特許文献１】特開２００９−１１１７７９号公報
【発明の概要】
【発明が解決しようとする課題】
【０００５】
上記特許文献１のコンテンツ蓄積再生装置は削除対象コンテンツの数が少ないか、或いは、存在しない場合に十分な空き容量を確保することができない。
【０００６】
本発明は上述した問題点に鑑み、空き容量を確保するための方法を提示する記録再生装置を提供すること目的とする。
【課題を解決するための手段】
【０００７】
上記目的を達成するために本発明の記録再生装置は、番組を記憶する記憶媒体と、前記記憶媒体の空き容量と録画予約に係る番組を録画するのに必要な容量とに基づいて不足容量を算出する算出部と、前記算出部が算出した不足容量に基づいて前記記憶媒体に記憶されている未視聴の録画番組から１又は複数の未視聴の録画番組を抽出して提示する提示部と、を備えることを特徴としている。
【０００８】
また上記構成の記録再生装置において、前記提示部は未視聴の録画番組をソートし、ソート順に未視聴の録画番組の占有容量を加算して、前記算出部が算出した不足容量に対応する１又は複数の未視聴の録画番組を抽出して提示することが望ましい。
【０００９】
また上記構成の記録再生装置において、前記提示部は単位時間あたりの占有容量又は総占有容量が大きい順に未視聴の録画番組をソートすることが望ましい。
【００１０】
また上記構成の記録再生装置において、前記提示部は単位時間あたりの占有容量又は総占有容量が大きい順に未視聴の録画番組をソートした結果、同一タイトルの未視聴の録画番組が複数あるときに録画日時に基づいて同一タイトルの未視聴の録画番組を提示することが望ましい。
【００１１】
また上記構成の記録再生装置において、前記提示部はユーザから指定された視聴時間で視聴可能な未視聴の録画番組から提示する未視聴の録画番組を抽出することが望ましい。
【００１２】
また上記構成の記録再生装置において、前記提示部は提示が禁止されている未視聴の録画番組以外から提示する未視聴の録画番組を抽出することが望ましい。
【００１３】
また上記構成の記録再生装置において、視聴済み録画番組を消去する消去部を備えることが望ましい。
【００１４】
また上記構成の記録再生装置において、前記消去部は再生中の録画番組の視聴済み部分を消去することが望ましい。
【発明の効果】
【００１５】
本発明によれば、記憶媒体の空き容量が録画予約に係る番組を録画するのに不足している場合に、未視聴の録画番組の中から抽出した１又は複数の未視聴の録画番組を提示する。従ってユーザは提示された未視聴の録画番組を視聴した後に削除することで録画予約に係る番組が録画可能になることが分かる。
【図面の簡単な説明】
【００１６】
【図１】記録再生装置の構成の一例を示す図
【図２】第１実施形態の録画再生装置の制御部が実行する処理の流れを示すフローチャート
【図３】録画予約設定画面を示す図
【図４】未視聴の録画番組の提示画面の第１例を示す図
【図５】未視聴の録画番組の提示画面の第２例を示す図
【図６】第２実施形態の録画再生装置の制御部が実行する処理の流れを示すフローチャート
【図７】第３実施形態の録画再生装置の制御部が実行する処理の流れを示すフローチャート
【図８】ソート結果を示す第１の図
【図９】ソート結果を示す第２の図
【図１０】未視聴の録画番組の提示画面の第３例を示す図
【図１１】第４実施形態の録画再生装置の制御部が実行する処理の流れを示すフローチャート
【図１２】第５実施形態の録画再生装置の制御部が実行する処理の流れを示すフローチャート
【図１３】未視聴の録画番組の提示画面の第４例を示す図
【図１４】未視聴の録画番組の提示画面の第５例を示す図
【図１５】第６実施形態の録画再生装置の制御部が実行する処理の流れを示すフローチャート
【図１６】第７実施形態の録画再生装置の制御部が実行する処理の流れを示すフローチャート
【発明を実施するための形態】
【００１７】
＜第１実施形態＞
以下に本発明の記録再生装置について図面を参照して説明する。なお、本実施形態及び以降の実施形態は、本発明の技術的思想を具体化するために記録再生装置の一例である録画再生装置を示すものであって、本発明の記録再生装置を録画再生装置に特定することを意図するものではなく、特許請求の範囲に含まれるその他の実施形態の装置にも等しく適応し得るものである。例えば音声を録音し再生する録音再生装置に適用することとしてもよい。
【００１８】
図１は本実施形態の録画再生装置１００の構成の一例を示す図である。チューナ２はアンテナ１の出力信号（以下、「アンテナ１の出力信号」を「放送信号」と称することもある。）を取得する。そして、チューナ２は放送信号に選局チャンネルに対応する周波数の局部発振信号を乗算してベースバンド信号に周波数変換する。
【００１９】
復調器３はチューナ２の出力信号に対して復調処理を行い、復調信号を出力する。
【００２０】
誤り訂正部４は復調器３の出力信号に対して必要に応じた誤り訂正を行う。多重分離部５は誤り訂正部４の出力信号をオーディオデータ（音声信号）、ビデオデータ（映像信号）及びＥＰＧデータに分離復号し、夫々をオーディオデコーダ６、ビデオデコーダ７、後述する制御部１１に供給する。
【００２１】
オーディオデコーダ６は入力されたオーディオデータを例えばＭＰＥＧ方式でデコードしてスピーカ等に出力する。ビデオデコータ７は入力されたビデオデータを例えばＭＰＥＧ方式でデコードしてフレームメモリ８に供給する。
【００２２】
フレームメモリ８はビデオデータを一時的に格納するメモリ領域である。映像処理部９はフレームメモリ８に格納されたビデオデータをディスプレイ（不図示）での表示に適した映像信号に変換してディスプレイに出力する。
【００２３】
なお、映像処理部９はＯＳＤ生成部１０から出力されたＯＳＤ信号を入力した場合にフレームメモリ８に格納されたビデオデータにＯＳＤ信号を重畳した映像信号を生成しディスプレイでの表示に適した映像信号に変換してディスプレイに出力する。
【００２４】
ＯＳＤ生成部１０は文字や図形等のＯＳＤ画面を生成し、生成したＯＳＤ画面を信号化したＯＳＤ信号を映像処理部９に出力する。本実施形態ではＯＳＤ画面として特に、後述する録画予約設定部１１１に制御されて生成する録画予約設定画面（図３）、提示部１１３に制御されて生成する未視聴の録画番組のリストを表示した画面（図４、図５、図１０、図１３、図１４）を生成する。
【００２５】
制御部１１は録画再生装置１００全体を制御する制御手段である。例えば制御部１１はＯＳＤ生成部１０を制御してビデオデータに重畳させるＯＳＤ画面を生成させる。また、制御部１１は録画予約設定部１１１、算出部１１２、提示部１１３及び消去部１１４を備える。なお本実施形態では説明の簡略化のために一の制御部１１が録画予約設定部１１１、算出部１１２、提示部１１３及び消去部１１４を有する構成を示すが、夫々を異なる制御部が有する構成であってもよい。
【００２６】
録画予約設定部１１１は所定の番組に対して録画予約を設定する。録画予約を設定する番組はユーザにより個別に指定される番組又はキーワード指定やジャンル指定等の所定の条件に基づいて一括して選択される複数の番組である。
【００２７】
算出部１１２は後述する記憶媒体１２の空き容量と録画予約設定部１１１により録画予約が設定された番組を録画するのに必要な容量とに基づいて不足容量を算出する。記憶媒体１２の空き容量は記憶媒体１２の総容量から使用容量を減じて算出する。但し、後述する消去部１１４により視聴済み録画番組が消去される場合は、総容量から使用容量及び視聴済み録画番組の占有容量を減じて記憶媒体１２の空き容量を算出することとしてもよい。
【００２８】
録画予約に係る番組を録画するのに必要な容量（以下、「録画予約に係る番組を録画するのに必要な容量」を「必要容量」ともいう。）は、録画予約に係る番組を録画する際の録画モード（画質）、録画予定時間に基づいて算出する。そして不足容量は記憶媒体１２の空き容量から必要容量を減じて算出される。
【００２９】
提示部１１３は算出部１１２により算出された不足容量を補う、すなわち、記憶媒体１２の空き容量を増加するために視聴を推奨する未視聴の録画番組を抽出して提示する。視聴を推奨する未視聴の録画番組の選択はランダムに選択することとしてもよいが、後述するように所定の条件に基づいて未視聴の録画番組をソートして、ソート順に選択することが望ましい。ソート方法及び提示方法の詳細は後述する。
【００３０】
消去部１１４は容量不足が生じた場合（記憶媒体１２の空き容量＜必要容量である場合）に視聴済み録画番組の全部又は一部を消去する。消去の詳細は後述する。
【００３１】
記憶媒体１２は録画された番組を記憶する。記憶媒体としては外付け又は内蔵された記憶媒体が使用され、本実施形態では録画再生装置１００が記憶媒体の一種であるＨＤＤを内蔵するものとして説明を行う。
【００３２】
以下、本実施形態の録画再生装置１００の制御部１１が実行する処理について図２を参照して説明を行う。図２は録画再生装置１００の制御部１１が実行する処理の流れを示すフローチャートである。ステップＳ０１において制御部１１は録画予約設定部１１１が特定の番組に対する録画予約を設定中であるか否かを判定する。録画予約設定中とは例えばユーザにより録画予約設定がされている場合は、図３に示すようにディスプレイに表示されている録画予約設定画面において、番組タイトル及び録画モードが指定されているが確定が押下される前の段階である。
【００３３】
録画予約設定中であれば（ステップＳ０１のＹ）ステップＳ０２に進み、録画予約設定中でなければ（ステップＳ０１のＮ）ステップＳ０１に戻る。
【００３４】
ステップＳ０２において制御部１１の算出部１１２は記憶媒体１２（図３に示す録画先のＨＤＤ）の空き容量と、ステップＳ０１で録画予約中の番組（図３では地上Ｄの１１チャンネル）を指定された録画モード（図３ではＡＥモード）で録画した場合に必要な容量とを算出する。そして算出した空き容量と必要容量とに基づいて不足容量を算出する。制御部１１は算出部１１２が算出結果に基づいて容量不足が生じると判定したとき（ステップＳ０２のＹ）はステップＳ０３に進み、容量不足が生じないと判定したとき（ステップＳ０２のＮ）はステップＳ０６に進んで、録画予約設定を終了する。なお、図３に示すようにユーザの操作により録画予約設定がなされているときはユーザにより確定が押下されたときに録画予約設定を終了する。
【００３５】
ステップＳ０３において制御部１１の提示部１１３は単位時間あたりの占有容量に基づいて未視聴録画番組をソートする。各番組の占有容量は録画モードによって大きく左右され、同程度の占有容量であっても放送時間の長いものと短いものが存在する。単位時間あたりの占有容量が大きなものは短時間の視聴で、消去することにより効率的に必要容量を確保することができる。
【００３６】
ステップＳ０４において制御部１１の提示部１１３はステップＳ０３でソートした未視聴の録画番組からソート順、すなわち単位時間あたりの占有容量が大きなものから順に、不足容量に対応する１又は複数の未視聴の録画番組を抽出して提示する。未視聴の録画番組の提示は例えば図４に示すように行われる。また、例えば録画予約設定部１１１が指定されたジャンルに係る番組に対して自動的に録画予約を設定する場合には図５に示すように各日に放送予定の番組を録画するために視聴すべき（視聴して消去すべき）未視聴の録画番組を提示する。
【００３７】
ステップＳ０５において制御部１１は未視聴の録画番組が消去されたか否かを判定する。なお、本ステップで「未視聴」とは現時点で未視聴であるか否かは問わずステップＳ０４の時点で未視聴であったか否かに基づいて判定される。ステップＳ０４で提示された番組をユーザが視聴した上で消去する場合と、視聴せずに消去する場合があるからである。未視聴の録画番組が消去されたとき（ステップＳ０５のＹ）はステップＳ０２に戻り、未視聴の録画番組が消去されないとき（ステップＳ０５のＮ）はステップＳ０５に戻る。なおステップＳ０４で提示した未視聴の録画番組が消去された場合にはステップＳ０６に進むこととしてもよい。
【００３８】
また、未視聴の録画番組が消去されないときはステップＳ０５に戻らずに録画予約設定を中断することとしてもよい。
【００３９】
本実施形態によれば、必要容量を確保するために視聴すべき未視聴の録画番組が提示される。その際、単位時間あたりの占有容量が大きい未視聴の録画番組が提示されるので、短時間で視聴でき、視聴した後に当該録画番組を消去することで効率よく必要容量を確保することができる。
【００４０】
＜第２実施形態＞
第１実施形態では単位時間あたりの占有容量に基づいて未視聴の録画番組をソートすることとしたが、ソート方法はこれに限られるものではない。単位時間あたりの占有容量が大きい録画番組は短時間で視聴できるが、必要容量が大きい場合には数多くの番組を視聴する必要が生ずることがある。多くの番組を保存しておきたいと考えるユーザは、より少ない録画番組を視聴して消去することで必要容量を確保したいと望むことが考えられる。そこで本実施形態では総占有容量に基づいて未視聴の録画番組をソートする。
【００４１】
以下、本実施形態の録画再生装置１００の制御部１１が実行する処理について図６を参照して説明を行う。図６は本実施形態の録画再生装置１００の制御部１１が実行する処理の流れを示すフローチャートである。なお、図６のフローチャートのステップＳ１１〜Ｓ１２及びＳ１５〜Ｓ１６は図２のフローチャートのステップＳ０１〜Ｓ０２及びＳ０５〜Ｓ０６と同様であるため説明を省略する。
【００４２】
ステップＳ１３において制御部１１の提示部１１３は総占有容量に基づいて未視聴録画番組をソートする。総占有容量が大きなものを視聴して、消去することにより少ない録画番組を消去して必要容量を確保することができる。
【００４３】
ステップＳ１４において制御部１１の提示部１１３はステップＳ１３でソートした未視聴の録画番組からソート順、すなわち総占有容量が大きなものから順に、不足容量に対応する１又は複数の未視聴の録画番組を抽出して提示する。未視聴の録画番組の提示は第１実施形態と同様に行われる。
【００４４】
本実施形態によれば必要容量を確保するために視聴すべき未視聴の録画番組が提示される。その際、総占有容量が大きい未視聴の録画番組が提示されるので、より少ない数の録画番組を消去することで必要容量を確保することができる。
【００４５】
＜第３実施形態＞
第１実施形態及び第２実施形態では単位時間あたりの占有容量又は総占有容量に基づいて未視聴の録画番組がソートされ、ソート順に提示される。しかしながら未視聴録画番組の中には現時点で視聴したくないもの、視聴すべきでないもの、視聴できないもの、また視聴したとしても消去したくないものが存在する場合がある。本実施形態及び以降の実施形態では単位時間あたりの占有容量又は総占有容量以外の要件にも基づいて提示する未視聴の録画番組を抽出して提示する。
【００４６】
なお、以降の実施形態では未視聴の録画番組を単位時間あたりの占有容量に基づいてソートすることとして説明するが、変形例として総占有容量に基づいてソートすることとしてもよい。
【００４７】
以下、本実施形態の録画再生装置１００の制御部１１が実行する処理について図７を参照して説明を行う。図７は本実施形態の録画再生装置１００の制御部１１が実行する処理の流れを示すフローチャートである。なお、図７のフローチャートのステップＳ２１〜Ｓ２３及びＳ２７〜Ｓ２８は図２のフローチャートのステップＳ０１〜Ｓ０３及びＳ０５〜Ｓ０６と同様であるため説明を省略する。
【００４８】
ステップＳ２４において制御部１１はステップＳ２３でソートした未視聴の録画番組の中に視聴すべき順序が決まっている番組があるか否かを判定する。視聴すべき順序が決まっている番組とはドラマなど話数が増えるにしたがってストーリーが展開していく番組である。例えばドラマの第１話及び第２話が録画され且つ未視聴である場合に、第２話が第１話よりも単位時間あたりの占有容量が大きいとしても第１話を先に視聴すべきである。そこで制御部１１は視聴すべき順序が決まっている番組があるとき（ステップＳ２４のＹ）にステップＳ２５に進んで視聴すべき順番に入れ替えて、ソート順に不足容量に対応する１又は複数の未視聴の録画番組を抽出して提示する。
【００４９】
具体的にはステップＳ２３で図８に示すように未視聴の録画番組がソートされている場合に、ドラマＦの第２話はドラマＦの第１話の後に視聴すべきであることから図９に示すようにドラマＦの第２話をドラマＦの第１話の後にして図１０に示すように提示する。
【００５０】
つまり提示に係る未視聴の録画番組と同一タイトルの未視聴の録画番組が存在するときは提示に係る未視聴の録画番組の録画日時がそれ以後に提示される可能性のある同一タイトルの未視聴の録画番組の中で最も古いか否かを判定する。録画日時が最も古ければそのままの位置に留め、他に録画日時の古い番組が存在する場合にはその録画番組の後に移動させる。そして当該ソート順に従って録画番組を提示する。
【００５１】
なお、本実施形態でタイトルとは「サブタイトル」や「話数」を含まない「メインタイトル」であり、同一タイトルとはメインタイトルが同一であることを示す。タイトル情報としてメインタイトル、サブタイトル及び話数等が混合して含まれる場合には、一致度が一定の一致度を上回るものに関してメインタイトルが同一であると判定することとすればよい。例えば上述した「ドラマＦ  第１話」と「ドラマＦ  第２話」とは数値が異なるのみで他の六文字（スペース除く）は共通しており一致度が高いため同一タイトルと判定される。一致度は適宜設定することとすればよいが、サブタイトル等メインタイトル以外が長い場合を考慮して比較的低い一致度でも同一タイトルと判定することが望ましい。
【００５２】
一方、視聴すべき順序が決まっている番組がないとき（ステップＳ２４のＮ）はステップＳ２６に進み、ステップＳ２３でソートした未視聴の録画番組からソート順に、不足容量に対応する１又は複数の未視聴の録画番組を抽出して提示する。
【００５３】
本実施形態によれば第１実施形態と同様の効果を奏する。加えて、視聴すべき順序が決まっている番組に関して順序を入れ替えて未視聴の録画番組を提示するので、利便性が高い。
【００５４】
＜第４実施形態＞
本実施形態の録画再生装置１００の制御部１１が実行する処理について図１１を参照して説明を行う。図１１は本実施形態の録画再生装置１００の制御部１１が実行する処理の流れを示すフローチャートである。なお、図１１のフローチャートのステップＳ３１〜Ｓ３３及びＳ３７〜Ｓ３８は図２のフローチャートのステップＳ０１〜Ｓ０４及びＳ０５〜Ｓ０６と同様であるため説明を省略する。
【００５５】
ステップＳ３４において制御部１１はユーザから視聴時間の指定（指定時間）があるか否かを判定する。すなわち、ユーザは用事等により限られた時間しか番組を視聴できない場合がある。例えば３時間以内に視聴を終了したいと考えている場合に、単位時間あたりの占有容量が最も大きな未視聴の録画番組の再生時間が４時間となるとユーザは視聴を完了することができない。そこで制御部１１は視聴時間の指定があるとき（ステップＳ３４のＹ）にステップＳ３５に進んで再生時間が指定時間以下となるように不足容量に対応する１又は複数の未視聴の録画番組を抽出して提示する。
【００５６】
なお、本実施形態において未視聴の録画番組の再生時間は標準速度で最初から最後まで視聴した場合の時間であるが、コマーシャル放送をスキップする機能を有する場合にはコマーシャル放送の時間を除いた時間としてもよい。また、未視聴の録画番組を話速変換モード（１．４倍速）で再生した場合の時間としてもよい。再生時間の指定と共にコマーシャル放送のスキップの有無、再生速度の指定を行うことでコマーシャル放送をスキップし、及び／又は、再生速度を変えた場合の再生時間を算出することができる。
【００５７】
一方、視聴時間の指定がなければ（ステップＳ３４のＮ）ステップＳ３６に進み、ステップＳ３３でソートした未視聴の録画番組からソート順に、不足容量に対応する１又は複数の未視聴の録画番組を抽出して提示する。
【００５８】
本実施形態によれば第１実施形態と同様の効果を奏する。加えて、指定時間内に視聴可能な範囲で１又は複数の未視聴の録画番組を抽出して提示するので、利便性が高い。
【００５９】
＜第５実施形態＞
本実施形態の録画再生装置１００の制御部１１が実行する処理について図１２を参照して説明を行う。図１２は本実施形態の録画再生装置１００の制御部１１が実行する処理の流れを示すフローチャートである。なお、図１２のフローチャートのステップ４１〜Ｓ４４及びＳ４７〜Ｓ４８は図２のフローチャートのステップＳ０１〜Ｓ０４及びＳ０５〜Ｓ０６と同様であるため説明を省略する。
【００６０】
ステップＳ４５において制御部１１はステップＳ４４で提示した未視聴の録画番組の中で１又は複数の未視聴の録画番組に対する除外指示があったか否かを判定する。未視聴の録画番組の中には、他者（家族等）が録画したものや他者と共に視聴を望むものなどユーザが今視聴することを望まないものが含まれる可能性がある。そこで例えば図１３に示すように未視聴の録画番組を提示する際に各タイトルの前にチェックボックスを設け、チェックボックスにチェックを入れた状態で除外を押下することで除外指示を可能とする。
【００６１】
１又は複数の未視聴の録画番組に対する除外指示があれば（ステップＳ４５のＹ）ステップＳ４６に進んで、除外指示に係る番組を除外して不足容量に対応する１又は複数の未視聴の録画番組を抽出して提示する。図１３に示すように番組Ｊのチェックボックスにチェックが入れられた状態で除外が指示された場合には図１４に示すように番組Ｊを除外した上で、他の番組Ｎを提示する。
【００６２】
一方、１又は複数の未視聴の録画番組に対する除外指示がなければ（ステップＳ４５のＮ）ステップＳ４７に進む。
【００６３】
本実施形態によれば第１実施形態と同様の効果を奏する。加えて、提示された未視聴の録画番組に対して提示の除外が指示可能であると共に、除外指示に係る番組の代わりに他の未視聴の録画番組が提示されるので利便性が高い。
【００６４】
＜第６実施形態＞
上記第１実施形態〜第５実施形態は未視聴の録画番組を提示するものであるが、視聴が行われたとしても消去されなければ必要容量を確保することができない。視聴終了後にユーザが録画番組リストに表示される多くの番組の中から視聴した番組をみつけて削除するのはユーザにとって負担である。そこで本実施形態では視聴済み録画番組の削除支援を行う。
【００６５】
なお、本実施形態は第１実施形態の変形例として説明するが、第２実施形態〜第５実施形態にも適用可能である。
【００６６】
本実施形態の録画再生装置１００の制御部１１が実行する処理について図１５を参照して説明を行う。図１５は本実施形態の録画再生装置１００の制御部１１が実行する処理の流れを示すフローチャートである。なお、図１５のフローチャートのステップＳ５１〜Ｓ５４及びＳ５７は図２のフローチャートのステップＳ０１〜Ｓ０４及びＳ０６と同様であるため説明を省略する。
【００６７】
ステップＳ５５において制御部１１は未視聴の録画番組の視聴が終了したか否かを判定する。視聴が終了していれば（ステップＳ５５のＹ）ステップＳ５６に進んで制御部１１の消去部１１４は視聴した録画番組を消去し、ステップＳ５２に戻る。視聴が終了していなければ（ステップＳ５５のＮ）ステップＳ５５に戻る。
【００６８】
なお、本実施形態ではステップＳ５６で視聴した録画番組を消去した後にステップＳ５２に戻ることとしているが、視聴が終了した番組がステップＳ５４で提示した未視聴の録画番組である場合にはステップＳ５７に進むこととしてもよい。
【００６９】
またステップＳ５６において自動的に消去する前に、ユーザに対して消去の許可を求め、許可を得た場合に消去することとしてもよい。
【００７０】
本実施形態によれば第１実施形態と同様の効果を奏する。加えて、未視聴の録画番組の視聴終了後に当該番組の消去に係る支援が行われるので利便性が高い。
【００７１】
＜第７実施形態＞
上記第１実施形態〜第５実施形態において必要容量を確保するために未視聴の録画番組の視聴が提示されるが、録画予約に係る番組の開始時刻までの残り時間が視聴が提示された未視聴の録画番組の再生時間よりも短時間になることが考えられる。このような場合には未視聴の録画番組の視聴が完了してから消去していたのでは録画の開始に間に合わない。そこで本実施形態では未視聴の録画番組の再生中に視聴済み部分を削除或いは上書き録画することで必要容量を確保する。
【００７２】
なお、本実施形態は第１実施形態の変形例として説明するが、第２実施形態〜第５実施形態にも適用可能である。
【００７３】
本実施形態の録画再生装置１００の制御部１１が実行する処理について図１６を参照して説明を行う。図１６は本実施形態の録画再生装置１００の制御部１１が実行する処理の流れを示すフローチャートである。なお、図１６のフローチャートのステップ６１〜Ｓ６４及びＳ６９は図２のフローチャートのステップＳ０１〜Ｓ０４及びＳ０６と同様であるため説明を省略する。
【００７４】
ステップＳ６５において制御部１１はユーザにより未視聴の録画番組に対して再生指示がなされたか否かを判定する。再生指示がなされていれば（ステップＳ６５のＹ）ステップＳ６６に進み、再生指示がなされていなければ（ステップＳ６５のＮ）ステップＳ６５に戻る。
【００７５】
ステップＳ６６において制御部１１はステップＳ６５で再生指示がなされた未視聴の録画番組の再生終了時刻と録画予約に係る番組の放送開始時刻とに基づいて、録画予約に係る番組の放送開始時刻前に未視聴の録画番組の視聴が終了するか否かを判定する。録画予約に係る番組の放送開始時刻前に未視聴の録画番組の視聴が終了するとき（ステップＳ６６のＹ）はステップＳ６７に進んで消去部１１４は未視聴録画の再生終了後に当該録画番組を消去する。このとき上述したようにユーザに対して消去の許可を求め、許可を得た場合に消去することとしてもよい。
【００７６】
録画予約に係る番組の放送開始時刻前に未視聴の録画番組の視聴が終了しないとき（ステップＳ６６のＮ）はステップＳ６８に進んで消去部１１４は未視聴の録画番組の再生中に視聴済み部分を削除する。
【００７７】
ステップＳ６７及びＳ６８の処理後はステップＳ６２に戻る。なお、本実施形態においてステップＳ６８からステップＳ６２に戻った場合に算出部１１２は現在再生中の未視聴の録画番組が消去された場合の空き容量を算出して、当該空き容量と必要容量とに基づいて不足容量を算出することとする。
【００７８】
本実施形態によれば第１実施形態と同様の効果を奏する。加えて、録画予約に係る番組終了時刻までに未視聴の録画番組の再生が終了しない場合でも、未視聴の録画番組を再生しながら録画予約に係る番組を録画することが可能となるので利便性が高い。
【符号の説明】
【００７９】
１      アンテナ
２      チューナ
３      復調器
４      誤り訂正部
５      多重分離部
６      オーディオレコーダ
７      ビデオデコーダ
８      フレームメモリ
９      映像処理部
１０      ＯＳＤ生成部
１１      制御部
１２      記憶媒体
１００      録画再生装置
１１１      録画予約設定部
１１２      算出部
１１３      提示部
１１４      消去部
【図１】
2015019200.tif 000003
【図２】
2015019200.tif 000004
【図３】
2015019200.tif 000005
【図４】
2015019200.tif 000006
【図５】
2015019200.tif 000007
【図６】
2015019200.tif 000008
【図７】
2015019200.tif 000009
【図８】
2015019200.tif 000010
【図９】
2015019200.tif 000011
【図１０】
2015019200.tif 000012
【図１１】
2015019200.tif 000013
【図１２】
2015019200.tif 000014
【図１３】
2015019200.tif 000015
【図１４】
2015019200.tif 000016
【図１５】
2015019200.tif 000017
【図１６】
2015019200.tif 000018